(57)【要約】【課題】医療用画像、患者情報、所見データを一元的に管理でき、簡単な操作で所見データ作成を行うことができる医療情報処理システム、所見データ編集装置、所見データ編集方法及びプログラムを提供する。【解決手段】医用情報処理システム１００においては、定型文選択ウインドウ４００を開く際に同時に定型文をペーストする位置が決定され、分類タブ４０１及びカテゴリ選択部４０２において定型文を選択し、選択された定型文が操作ボタン４０５の「選択」ボタンにより自動的に所望の位置にペーストされる。【選択図】図８
2008117239.tif 000002
【特許請求の範囲】
【請求項１】
患者情報を含む医療用のデジタル画像データを生成するデジタル画像データ生成部と、
前記画像データ生成部が生成したデジタル画像データを基に所見データを編集するコンピュータシステムと、
前記画像データ生成部が生成した患者のデジタル画像データと、前記コンピュータシステムが作成した当該患者に関する所見データとを関連付けて記憶し管理するサーバ装置と、
を有し、
前記コンピュータシステムは、
前記デジタル画像データ生成部が生成したデジタル画像データと、前記所見データを編集するための所見データ編集画面とを前記サーバ装置から読み出して表示する表示部と、
複数の定型文データを記憶する記憶部と、
制御部と、
を有し、
前記制御部は、前記所見データ編集画面における所定の項目が編集される場合に、第１の所定の操作によって、記憶部に記憶された少なくとも１つの定型文の内の１つを選択する定型文選択画面をさらに前記表示部に表示するとともに、前記定型文選択画面において選択された定型文を貼り付ける所望の位置を決定し、前記定型文選択画面における第２の所定の操作により前記選択された定型文を前記決定された所望の位置に貼り付ける
医療情報処理システム。
【請求項２】
前記所定の項目は、所見の内容を記述する欄である所見欄か、所見の内容を基に行った診断を記述する欄である診断欄か、のいずれかである
請求項１に記載の医療情報処理システム。
【請求項３】
前記コンピュータシステムが前記表示部に表示する前記定型文選択画面は、
医療上のカテゴリを階層状に複数表示し、そのうちの１つのカテゴリを選択させるカテゴリ選択部と、
前記カテゴリ選択部において選択されたカテゴリに対応する定型文が前記記憶部から読み出されて表示される定型文表示部と、
を有する請求項１に記載の医療情報処理システム。
【請求項４】
前記定型文選択画面は、
前記選択された定型文を前記決定された所望の位置に貼り付けるための操作部
をさらに有し、
前記第２の所定の操作は、前記操作部に対する操作である
請求項２に記載の医療情報処理システム。
【請求項５】
前記患者情報を含むデジタル画像データは、ＤＩＣＯＭ画像データである
請求項１から４のいずれか一項に記載の医療情報処理システム。
【請求項６】
医療用画像の所見データを編集するための所見データ編集画面を表示する表示部と、
複数の定型文データを記憶する記憶部と、
制御部と、
を有し、
前記制御部は、前記所見データ編集画面における所定の項目が編集される場合に、第１の所定の操作によって、記憶部に記憶された少なくとも１つの定型文の内の１つを選択する定型文選択画面をさらに前記表示部に表示するとともに、前記定型文選択画面において選択された定型文を貼り付ける所望の位置を決定し、前記定型文選択画面における第２の所定の操作により前記選択された定型文を前記決定された所望の位置に貼り付ける
所見データ編集装置。
【請求項７】
医療用画像の所見データを編集する所見データ編集装置の所見データ編集方法であって、
所定の項目が編集される場合に、第１の所定の操作によって、少なくとも１つの定型文の内の１つを選択する定型文選択画面を表示するとともに、前記定型文選択画面において選択された定型文を貼り付ける所望の位置を決定し、前記定型文選択画面における第２の所定の操作により前記選択された定型文を前記決定された所望の位置に貼り付ける
所見データ編集方法。
【請求項８】
医療用画像の所見データを編集する所見データ編集装置の実行するプログラムであって、
所定の項目が編集される場合に、第１の所定の操作によって、少なくとも１つの定型文の内の１つを選択する定型文選択画面を表示するとともに、前記定型文選択画面において選択された定型文を貼り付ける所望の位置を決定し、前記定型文選択画面における第２の所定の操作により前記選択された定型文を前記決定された所望の位置に貼り付ける
プログラム。
【発明の詳細な説明】
【技術分野】
【０００１】
本発明は、医療用画像データを基に所見データを編集可能な医療情報処理システム、所見データ編集装置、所見データ編集方法及びプログラムに関する。
【背景技術】
【０００２】
従来、医療用画像（例えば、Ｘ線写真や、ＭＲＩ等による断層画像等）は、画像の患者の担当医ではなく、読影医と呼ばれる専門の医師が所見を行うことが多かった。このため、読影医は、所見を行う画像の患者に関する情報（性別、年齢、既往歴等：以下、患者情報と称する）を十分に知ること無く読影を行わなければならないために、誤診が生じる恐れがあった。
こうした事態が生じる背景として、従来は、医療用画像（画像データ）と、患者情報とが関連付けられておらず、病院内において別々に扱われていた、という事実がある。
さらに、画像を基に読影医が作成した所見データも医療用画像及び患者情報とうまく関連付けられておらず、これらの情報を病院内において一元的に管理することは、情報の多さと各情報に関わる人数の多さのために非常に難しかった。
【０００３】
また、近年では、医療の現場においてデジタル化が進み、医療用画像もデジタル画像データとしてコンピュータ上で扱われることが多くなってきている。この流れを受けて、読影医も所見データをコンピュータ上で作成するようになってきている。
所見データを作成するために、読影医は例えば、煩雑なキーボード操作を行う必要があり、所見データの作業効率を向上させるためには煩雑なキーボード操作による読影医への負担を軽減させる必要があった。
【０００４】
所見データの作業効率を向上させるためには煩雑なキーボード操作による読影医への負担を軽減させる技術としては、例えば、特許文献１に開示された技術がある。
特許文献１に開示された技術では、表示された辞書情報から所望の単語或いは文章を、同時表示された所見入力ウインドウ上に切り貼りすることにより、煩雑なキーボード操作によらずに所見データを入力可能である。
【特許文献１】特開平４−２０３５０号公報
【発明の開示】
【発明が解決しようとする課題】
【０００５】
しかし、特許文献１に開示された技術では、医療用画像、患者情報、所見データを関連付けて一元的に管理することができない、という不利益があった。
また、特許文献１に開示された技術では、読影医が所見データに入力したい単語或いは文章をコピーコマンドボタンを押すことによりコピーし、所望の貼り付け位置を指定してからペーストコマンドボタンを押すことによりペーストされるため、操作が煩雑である、という不利益があった。
【０００６】
本発明は、上述した不利益を解消するために、医療用画像、患者情報、所見データを一元的に管理でき、簡単な操作で所見データ作成を行うことができる医療情報処理システム、所見データ編集装置、所見データ編集方法及びプログラムを提供することを目的とする。
【課題を解決するための手段】
【０００７】
上述した目的を達成するために、第１の発明の医療情報処理システムは、患者情報を含む医療用のデジタル画像データを生成するデジタル画像データ生成部と、前記画像データ生成部が生成したデジタル画像データを基に所見データを編集するコンピュータシステムと、前記画像データ生成部が生成した患者のデジタル画像データと、前記コンピュータシステムが作成した当該患者に関する所見データとを関連付けて記憶し管理するサーバ装置と、を有し、前記コンピュータシステムは、前記デジタル画像データ生成部が生成したデジタル画像データと、前記所見データを編集するための所見データ編集画面とを前記サーバ装置から読み出して表示する表示部と、複数の定型文データを記憶する記憶部と、制御部と、を有し、前記制御部は、前記所見データ編集画面における所定の項目が編集される場合に、第１の所定の操作によって、記憶部に記憶された少なくとも１つの定型文の内の１つを選択する定型文選択画面をさらに前記表示部に表示するとともに、前記定型文選択画面において選択された定型文を貼り付ける所望の位置を決定し、前記定型文選択画面における第２の所定の操作により前記選択された定型文を前記決定された所望の位置に貼り付ける。
【０００８】
第２の発明の所見データ編集装置は、医療用画像の所見データを編集するための所見データ編集画面を表示する表示部と、複数の定型文データを記憶する記憶部と、制御部と、を有し、前記制御部は、前記所見データ編集画面における所定の項目が編集される場合に、第１の所定の操作によって、記憶部に記憶された少なくとも１つの定型文の内の１つを選択する定型文選択画面をさらに前記表示部に表示するとともに、前記定型文選択画面において選択された定型文を貼り付ける所望の位置を決定し、前記定型文選択画面における第２の所定の操作により前記選択された定型文を前記決定された所望の位置に貼り付ける。
【０００９】
第３の発明の所見データ編集方法は、医療用画像の所見データを編集する所見データ編集装置の所見データ編集方法であって、所定の項目が編集される場合に、第１の所定の操作によって、少なくとも１つの定型文の内の１つを選択する定型文選択画面を表示するとともに、前記定型文選択画面において選択された定型文を貼り付ける所望の位置を決定し、前記定型文選択画面における第２の所定の操作により前記選択された定型文を前記決定された所望の位置に貼り付ける。
【００１０】
第４の発明のプログラムは、医療用画像の所見データを編集する所見データ編集装置の実行するプログラムであって、所定の項目が編集される場合に、第１の所定の操作によって、少なくとも１つの定型文の内の１つを選択する定型文選択画面を表示するとともに、前記定型文選択画面において選択された定型文を貼り付ける所望の位置を決定し、前記定型文選択画面における第２の所定の操作により前記選択された定型文を前記決定された所望の位置に貼り付ける。
【発明の効果】
【００１１】
本発明によれば、医療用画像、患者情報、所見データを一元的に管理でき、簡単な操作で所見データ作成を行うことができる医療情報処理システム、所見データ編集装置、所見データ編集方法及びプログラムを提供することができる。
【発明を実施するための最良の形態】
【００１２】
以下、本発明の実施形態について説明する。
図１は、本発明の実施形態の医用情報処理システム１００の構成の一例を示すブロック図である。
図１に示すように、医用情報処理システム１００は、モダリティ１、データサーバ２、コンピュータシステム３、ワークリストサーバ４を有する。
【００１３】
モダリティ１は、デジタル医療用画像を提供する装置である。例えば、ＣＴ（Computed Tomography: コンピュータ断層撮影）、ＭＲＩ（Magnetic Resonance Imaging：核磁気共鳴画像法）やＵＳ（UltraSonography：超音波検査）、ＣＲ（Computed Radiography）等のデジタル画像を提供するものの他、Ｘ線写真等のアナログ画像をスキャナで取り込んでデジタル画像とするもの、或いはデジタルカメラ等がモダリティに含まれる。
【００１４】
データサーバ２は、各種データを管理するサーバ装置である。
データサーバ２は、画像データサーバ２１と、所見データサーバ２２とをさらに有する。
画像データサーバ２１は、モダリティ１によって提供されたデジタル画像データを管理するサーバである。画像データサーバ２１は例えばＤＩＣＯＭ（Digital Imaging and COmmunication in Medicine）に定義された医療用画像の画像フォーマットに従って、ＤＩＣＯＭに規定された通信プロトコルによりモダリティ１と通信を行い、モダリティ１が提供するデジタル医療用画像を記録し、後述するコンピュータシステム３からの要求に従って要求された画像データを供給する。
ここで、ＤＩＣＯＭの画像データには、画像そのものの他に、ＤＩＣＯＭタグと呼ばれる形式で患者名、患者ＩＤ、生年月日、撮影日、撮影施設、撮影部位等の患者に関する情報（以下患者情報と称する）が含まれている。患者情報は、画像データがモダリティ１によって生成された時点で画像データに内包して生成され、画像データサーバ２１に記憶される。
【００１５】
所見データサーバ２２は、読影医が入力し作成した所見データを管理するサーバ装置である。所見データサーバ２２は、後述するコンピュータシステム３を使用して入力された所見データを記憶し、コンピュータシステム３から特定の患者の所見データが要求された際には、当該患者の所見データをコンピュータシステム３に供給する。
所見データは、その所見データに対応する患者の画像データを見ながら読影医が入力した所見情報の他に、上述した患者情報や、画像（或いは画像を縮小したサムネイル画像）を含んでいる。
【００１６】
なお、データサーバ２において、上述した画像データサーバ２１に記憶された画像データと、所見データサーバ２２に記憶された所見データとは、同一患者のものに関しては関連付けられている。すなわち、画像データサーバ２１に記憶された画像データと、読影医がその画像データを見て作成した所見データとは関連付けられている。
【００１７】
コンピュータシステム３は、医療関係者等が利用する端末装置（例えばＰＣ（Personal Computer））等であり、表示部３１及び表示部３２を含む。表示部３１には、後述するメイン画面や所見データ編集画面が表示され、表示部３２には、表示部３１に表示されている内容に関連する画像データの画像が表示される。医療関係者は、コンピュータシステム３を介して、画像データを閲覧したり、当該画像データによる所見データを閲覧或いは作成したりする。上記データサーバ２の説明においても触れた通り、同一の患者の画像データと所見データとはそれぞれ関連付けられてデータサーバ２に記憶されているため、医療関係者は、コンピュータシステム３を通じて、関連付けられた画像データ及び所見データを自由に閲覧することが可能である。すなわち、例えば、ある患者の画像データを見ながら、その画像データの所見データをデータサーバ２から読み出して閲覧することが可能である。また、コンピュータシステム３は、後述する定型文機能において利用される定型文を記憶する記憶部３３を有する。また、コンピュータシステム３は制御部３４をさらに有し、制御部３４は、コンピュータシステム３全体の制御を行う。
【００１８】
ワークリストサーバ４は、医用情報処理システム１００の外部から例えばインターネットやＬＡＮ（Local Area Network）等のネットワークを介してオーダ情報（データサーバ２内のどのデータを要求するか、という情報）を受信し、オーダ情報によって要求されたデータをオーダ情報の送信元に送信する。
【００１９】
次に、医用情報処理システム１００の運用時の具体例について説明する。
医用情報処理システム１００は、一般に病院等の医療機関内で使用される。
医療機関には様々な診療科に多数の医師が存在している。しかし、医療用画像の生成及び読影には専門知識が必要であるため、画像生成あるいは読影専門の医師あるいは技師が存在している。患者の診療を行う医師達は、医療用画像が必要になると、モダリティ１の技師（或いは医師）に画像データ生成を依頼する。モダリティ１は、技師の操作によって依頼された画像データを生成し（画像生成の工程を以下では検査と称する）、画像データサーバ２１に生成した画像データを記憶させる。次に、患者の診療を行う医師達は、読影医に生成された医療用画像の所見を依頼する。依頼を受けた読影医は、画像データサーバ２１に記憶された画像データを見ながら所見データを作成する。
本発明の医用情報処理システム１００は、読影医が医療用画像データを見ながら所見データを作成する際に主に効果を発揮するため、以下説明する医用情報処理システム１００の運用例では、依頼を受けた読影医は、画像データサーバ２１に記憶された画像データを見ながら所見データを作成する際の動作例について説明する。
【００２０】
以下に示す医用情報処理システム１００においては、患者情報（患者に関する情報、生年月日、性別等）のリストを基に画像データが選択されることにより、コンピュータシステム３が選択された画像データに含まれる画像を表示部３２に表示し、同時に、所見データを表示部３１に表示して編集可能な状態にすることが可能である。
図２は、医用情報処理システム１００の所見データ閲覧及び作成時の動作例を説明するためのフローチャートである。
ステップＳＴ１：
コンピュータシステム３の制御部３４は、表示部３１に医用情報処理システム１００に対するログイン画面を表示する。この際、利用者の認証を行うために、予め設定されたＩＤ及びパスワードを要求し、入力されたＩＤ及びパスワードが一致したときのみステップＳＴ２以降に進むようにしてもよい。また、この際コンピュータシステム３は、表示部３２には何も表示しない（或いは待ち受け画面のようなものを表示しても良い）。
【００２１】
ステップＳＴ２：
コンピュータシステム３の制御部３４は、表示部３１にメイン画面２００を表示する。
図３は、メイン画面２００の一例を示す図である。
図３に示すように、メイン画面２００は、メニュー２０１、ツールバー２０２、検索選択タブ２０３、検索条件入力欄２０４、検索結果表示欄２０５を有する。
メニュー２０１は、医用情報処理システム１００上で動作する医用情報処理ソフトウェア（本発明のプログラムに対応）の主なメニュー項目を示している。例えば、「ファイル」メニューでは医用情報処理ソフトウェアの新たなファイルの生成、保存等の操作を行うことができる。
なお、図３に示したメニュー２０１は一例であり、本発明はこれには限定されない。
【００２２】
ツールバー２０２には、例えば、予め設定した検索条件を呼び出したり、検索結果表示欄２０５に表示される検索結果の検査日によるフィルタリングを行ったりするボタン類が表示されている。例えば、図３において、ツールバー２０２の１〜５のいずれかを選択することにより予め設定された検索条件が呼び出され、Ａ〜Ｆのいずれかが選択されることによって検査日のフィルタリングがなされる（例えば、Ａでは当日に検査された検索結果のみを表示するようにフィルタリング、Ｂでは１日前、Ｃでは２日前…、等）。
なお、ツールバー２０２に表示されているボタン類に割り当てられる機能は、上記説明した検索条件呼び出し及び検査日フィルタリングの機能に限定されず、医用情報処理システム１００の他の様々な機能を割り当てることも可能である。ツールバー２０２に割り当て可能な機能については、本発明では限定しない。
【００２３】
検索選択タブ２０３は、後述する検索条件入力欄２０４に表示される項目と関連付けられたタブであり、例えば、「メイン検索」タブが選択されている際には後述する検索条件入力欄２０４の説明において記述する項目が表示され、「詳細検索」タブが選択された際には、「メイン検索」タブが選択された際に表示されている項目よりも多い項目が表示され、より詳細な検索を行うことが可能となっている。また、「全文検索」タブは、予め画像データに関連付けられた全文検索用のインデックス内を指定したキーワードで検索することを可能にするタブである。なお、これらの検索選択タブ２０３は一例であり、本発明はこれらには限定されない。
【００２４】
検索条件入力欄２０４は、画像データサーバ２１に記憶された画像データの内の所望の画像データを検索するために、検索条件、例えば、図３に示すように、検査日、患者ＩＤ、性別、患者名（漢字・ローマ字）、モダリティ（画像データを生成したモダリティ）、読影依頼（画像データの読影を依頼してきた人或いは部署等）、読影状態（未読影か、保留中であるか、完成したか等）等を設定する欄である。検索条件入力欄２０４の具体的な内容については、本発明では限定しない。
なお、検索は、コンピュータシステム３が検索条件入力欄２０４において指定された条件をデータサーバ２に送信し、データサーバ２が画像データサーバ２１に記憶された画像データに含まれる患者情報の中から指定された条件に合致するものを検索し、データサーバ２が検索した結果をコンピュータシステム３に送信することにより行われる。検索条件入力欄２０４において指定できる検索条件は、患者情報として画像データに含まれる情報のうちのいずれかである。また、ここで設定された検索条件は、ツールバー２０２のいずれかのボタンに関連付けて記憶させておくことが可能である。
【００２５】
検索結果表示欄２０５は、検索選択タブ２０３及び検索条件入力欄２０４において指定された条件に合致する検索結果のリストが表示されている。検索結果表示欄２０５に表示されるリストには、画像データに含まれる患者情報の他に、例えば図３に示すように、状態（当該画像データはすでに読影されたか、所見データは完成しているか、等）、緊急（緊急で読影する必要があるか否か）、読影（読影が必要であるか否か）、検査日時、Ｍｏｄ（画像を生成したモダリティの種類)、検査部位、依頼科（読影を依頼してきたのは病院内のどの科であるか）、作成日時(画像の作成日時)、読影者（読影を行った者）等が含まれる。検索結果表示欄２０５に表示されたリストの内１つが選択されると、後述のステップ７、９において説明するように、選択された画像データの所見データを閲覧する閲覧画面或いは所見データを作成する所見データ作成画面が表示部３１に表示される。なお、検索結果表示欄２０５の具体的な構成等（どのような項目を有するか）については本発明では限定しない。
メイン画面２００においては、例えばコンピュータシステム３の入力デバイス（マウス、キーボード等）により選択や入力等が行われる。
また、この際制御部３４は、表示部３２には何も表示しない。
【００２６】
ステップＳＴ３：
制御部３４は、検索条件入力欄２０４に条件が入力されたか否かを判断し、入力された場合にはステップＳＴ４に進み、入力されていない場合にはステップＳＴ２に戻る。
ステップＳＴ４：
制御部３４は、検索条件入力欄２０４に入力され設定された条件をデータサーバ２に送信し、データサーバ２は設定された条件で画像データの検索を実行する。検索の結果はコンピュータシステム３に送信される。
【００２７】
ステップＳＴ５：
制御部３４は、データサーバ２から送信された検索結果のリストを検索結果表示欄２０５に表示する。
ステップＳＴ６：
制御部３４は、検索結果表示欄２０５に表示されたリストのうち１つが入力デバイスを介して選択された場合にはステップＳＴ７に進み、そうでない場合はステップＳＴ６を繰り返す。
【００２８】
ステップＳＴ７：
制御部３４は、ステップＳＴ６において選択されたリストのうちの１つに対応する画像データに含まれる画像を表示部３２に表示するとともに、ステップＳＴ６において選択されたリストのうちの１つに対応する画像データに関連付けられた所見データを閲覧・編集するための所見データ編集画面３００を表示部３１に表示する。
図４は、表示部３１に表示される所見データ編集画面３００の一例を示す図である。
所見データ編集画面３００は、図４に示すように、メニュー３０１、ツールバー３０２、情報選択タブ３０３、情報表示欄３０４、所見データリスト３０５、過去・現在選択タブ３０６、所見データ入力欄３０７、画像サムネイル３０８を有する。
メニュー３０１は、医用情報処理システム１００上で動作する医用情報処理ソフトウェアの主なメニュー項目を示している。例えば、「ファイル」メニューでは医用情報処理ソフトウェアの新たなファイルの生成、保存等の操作を行うことができる。
なお、図４に示したメニュー３０１は一例であり、本発明はこれには限定されない。
【００２９】
ツールバー３０２は、所見データ編集画面３００において使用頻度が高いと思われる機能が割り当てられたボタン類が表示されている。ツールバー３０２に表示されているボタンとしては、例えば、「キャンセル」ボタン（所見データ編集を終了するためのボタン）、プレビューボタン（現在までに入力された所見データを印刷した場合をプレビュー表示するためのボタン）、「ＫＥＹレイアウト」（キー画像、すなわち後述する画像サムネイル３０８に表示される画像の大きさを変更するためのボタン、例えば、１回押下する毎に画像が小さく表示されるようになり、何回目かの押下で最初の大きさに戻る等）、「患者プロフィール」（ステップＳＴ６において選択された画像データに含まれる患者情報を表示部３１内の別画面（所見データ編集画面３００とは別のウインドウ等）に表示する）、「検査画像」（現在選択されている画像を表示部３１内の別画面（別ウインドウ等）で表示する）、「完成」（所見データが完成した場合に、所見データ編集処理を終了するボタン）、「保留」（編集を一時中止して所見データ編集画面３００を閉じ、メイン画面２００を表示するボタン、なお、この際編集中のデータは保存され、メイン画面において保留したデータが選択されることで編集の続きを行うことが可能である）等がある。
【００３０】
情報選択タブ３０３は、後述する情報表示欄３０４に表示される項目を変更するためのタブである。情報選択タブ３０３には、例えば、「基本情報」、「患者情報」、「検査情報」、「オーダ情報」、「実施情報」といったタブがあり、これらのタブのうちのどれが選択されているかによって、情報表示欄３０４に表示される情報の内容が変化する。
情報表示欄３０４は、情報選択タブ３０３のうち現在選択されているタブに対応した内容の情報が表示される欄である。例えば、情報選択タブ３０３の「患者情報」タブが選択されている場合には、患者ＩＤ、患者名、生年月日、年齢、検査日時等の患者情報が表示され、「検査情報」タブが選択されている場合には、検査日付、検査時刻、検査ＩＤ検査番号等、検査（モダリティ１による画像データ生成）時の情報が表示され、「オーダ情報」タブが選択されている場合には、検査を依頼した医師の属する科名、医師名、検査目的、要読影か否か、緊急の検査であるか否か、依頼時に推定されている病名、特別指示（検査時の指示等）、検査指示等の検査依頼時の情報が表示され、「実施情報」タブが選択されている場合には、検査担当医師名、検査担当技師名、撮影枚数、使用した薬剤・造影剤等、検査実施時の情報が表示される。また、「基本情報」タブが選択されている場合には、患者情報、オーダ情報、検査情報のうち重要な項目がピックアップされて表示される。
なお、情報表示欄３０４に表示される項目は、本発明では限定しない。
【００３１】
所見データリスト３０５には、現在表示されている所見データと同一患者の所見データのリストが表示されている。所見データリスト３０５に表示される項目は、例えば状態（当該所見データは完成されたか否か等）、緊急（緊急を要するか否か）、読影（読影が必要であるか否か）、検査日時、所見データタイトル等である。これらの各項目に表示される情報は、過去に作成された所見データ（所見データ）内に埋め込まれて所見データサーバ２２内に記憶されている。すなわち、コンピュータシステム３は、所見データ編集画面３００の表示時に所見データサーバ２２に選択された患者の所見データを要求し、所見データサーバ２２から送信された所見データを基に所見データリスト３０５の表示を行う。
【００３２】
所見データリスト３０５に表示された所見データのリストのうちのいずれかが選択されると、新たに選択された所見データが所見データ編集画面３００に表示される、過去・現在選択タブ３０６に新たに開かれた所見データに対応するタブが新たに表示される。このように、過去・現在選択タブ３０６には、「Ｃｕｒｒｅｎｔ」タブと、新たに開かれた過去の所見データに対応したタブとが表示される（なお、過去の所見データが開かれていない場合には「Ｃｕｒｒｅｎｔ」タブのみが表示されている）。新たに開かれた所見データに対応するタブには、当該所見データの識別番号（例えば当該所見データの作成された日付等）が表示される。過去・現在選択タブ３０６に表示されたタブのうち選択されているタブに対応する所見データが表示される。
【００３３】
所見データ入力欄３０７は、後述するステップＳＴ８の所見データ編集処理において編集される所見データの入力欄である。所見データ入力欄３０７には、例えば、依頼年月日、検査年月日、レポートタイトル（所見のタイトル）、依頼目的欄（どの患部の画像を得るために検査が依頼されたか、等）、画像所見欄（読影医が画像を見ながら所見を入力する欄）、画像診断欄（読影医の所見を見、患者を診察した医師が診断を入力する欄であり、読影医はこの欄は入力しない）、作成者（所見データの作成者、すなわち読影医）、等の項目が含まれる。所見データ入力欄３０７における所見データ編集処理については後に詳しく説明する。
【００３４】
画像サムネイル３０８は、画像のサムネイル（縮小画像）を貼り付けることができる欄である。例えば、表示部３２に表示された画像を画像サムネイル３０８にドラッグ＆ドロップする（或いはコピー＆ペースト）ことによって、表示部３２に表示された画像の縮小画像が画像サムネイル３０８に表示される。
なお、上記説明した所見データ編集画面３００は一例であり、本発明の医用情報処理システムにおいて所見データ編集時に表示部３１に表示される画面は、図４に示す所見データ編集画面３００には限定されない。
【００３５】
ステップＳＴ８：
制御部３４は、所見データ編集処理を実行する。所見データ編集処理については詳しくは後述する。
ステップＳＴ９：
所見データの編集が終了した場合には編集が終了した所見データを所見データサーバ２２に記憶させてステップＳＴ２に戻り、そうでない場合はステップＳＴ７に戻る。
【００３６】
以上のようにして、読影医等はコンピュータシステム３を介して医用画像処理システム１００を利用した所見データ生成を行うことができる。
【００３７】
次に、医用情報処理システム１００の上述した図２のステップＳＴ８における所見データ編集処理について詳しく説明する。
図４に示す所見データ編集画面３００において、所見データ入力欄３０７のいずれかの項目が選択（例えばコンピュータシステム３の入力部であるマウス等によるダブルクリック等の動作による）がなされると、選択された項目にコンピュータシステム３の入力部であるキーボード等による文字入力が可能になる。
【００３８】
図４に示す所見データ編集画面３００の所見データ入力欄３０７の各項目について、詳しく説明する。
図５は、所見データ入力欄３０７の各項目について説明するための図である。
レポートタイトル３０７１は、所見データをレポート（所見報告書）として体裁を整えた場合のタイトルを入力するための欄である。
検査目的欄３０７２は、検査の目的、例えば、どの患部の画像を得るために検査が依頼されたか、等を記入するための欄である。
【００３９】
画像所見欄３０７３は、画像の所見を入力するための欄である。読影医は、所見を作成したい画像を表示部３２等に表示させ、画像を見ながらその画像に対する所見を画像所見欄３０７３に入力する。
画像診断欄３０７４は、読影医に読影及び所見データの作成を依頼した医師が、画像所見欄３０７３に入力された所見を基に行った診断を記入する欄である。
ここで、画像所見欄３０７３及び画像診断欄３０７４に記入される内容は、ある程度決まった内容であることが多いため、本実施形態の医用情報処理システム１００においては、画像所見欄３０７３及び画像診断欄３０７４に入力を行う際においては、予め登録された内容の定型文を利用することができる。なお、予め登録された定型文はコンピュータシステム３の記憶部３３に記憶されている。
【００４０】
具体的には、画像所見欄３０７３或いは画像診断欄３０７４の編集を行う際に、所定の操作が実行されることにより（例えば、画像所見欄３０７３或いは画像診断欄３０７４の編集中に画像所見欄３０７３或いは画像診断欄３０７４をコンピュータシステム３の入力部であるマウス等によるダブルクリック等）、定型文選択ウインドウ４００が所見データ編集画面３００に重畳して新たに表示部３１に表示され、定型文選択ウインドウ４００において所望の定型文が選択されることにより画像所見欄３０７３或いは画像診断欄３０７４に選択された定型文がペーストされる。
【００４１】
以下、定型文選択ウインドウ４００について説明する。
図６は、定型文選択ウインドウ４００の一例を示す図である。
図６に示すように、定型文選択ウインドウ４００は、例えば、分類タブ４０１、カテゴリ選択部４０２、カテゴリ表示部４０３、定型文表示部４０４、操作ボタン４０５を有する。
【００４２】
分類タブ４０１は、後述するカテゴリ選択部４０２に表示される定型文のタイトルのリストを分類するタブである。例えば、図６に示すように、「女性骨盤ＭＲＩ」、「ＲＩ検査」、「ＭＲＣＰ」、「頚部ＭＲＩ」、「腹部ＣＴ」等、画像の種類で分類されているタブが存在し、これらのタブのうち１つが選択されることにより、カテゴリ選択部４０２に表示されるカテゴリが変化する。
カテゴリ選択部４０２には、図６に示すように、対応する定型文を有するカテゴリが表示される。例えば、分類タブ４０１の「腹部ＣＴ」タブが選択されている場合には、まず、「肝臓」、「腎臓」等のカテゴリがカテゴリ選択部４０２に表示される。
なお、ここで各カテゴリに対応する定型文は、予め登録されコンピュータシステム３の記憶部３３に記憶されている。また、コンピュータシステム３の図示しない入力部を介して後述する操作ボタン４０５の各ボタンを操作することにより、新たにカテゴリを増やしたり、カテゴリに対応する定型文を新たに登録あるいは現在登録されている定型文を編集したりすることもできる。
【００４３】
なお、上述したように、カテゴリ選択部４０２に表示されたカテゴリは、階層化されて表示（ツリー表示）されてもよい。すなわち、１つのカテゴリの下にサブカテゴリが存在し、サブカテゴリ毎に定型文を有していてもよい（例えば、図６に示すように、「肝臓」というカテゴリの下に「１．ＴＡＥ後再発」や「ＲＦＡ後＿１」というサブカテゴリが存在し、それぞれのサブカテゴリが定型文を有していてもよい）。階層化されることにより、カテゴリを探し出し特定することが容易になる、という利点がある。
カテゴリ選択部４０２において選択されたカテゴリは、カテゴリ表示部４０３に表示され、現在どのカテゴリが選択されているかが一目で判るようになっている。
【００４４】
また、定型文表示部４０４には、現在選択されているカテゴリに対応した定型文が表示される。定型文は、例えば図６に示すように、カテゴリ選択部４０２において選択されたカテゴリに対応した定型文であり、その内容は、選択されたカテゴリに関する所見を書く場合によく使用されると思われる文章である。定型文表示部４０４に表示される定型文は、単に単語の羅列であってもよいが、図６に示すように、文章としての体裁を整えられた長文であっても良い。
【００４５】
操作ボタン４０５は、例えば、「登録」、「削除」、「選択」、「終了」といった複数のボタンを有する。
「登録」ボタンは、カテゴリ選択部４０２において選択されたカテゴリに定型文が登録されていなかった場合、或いは選択されたカテゴリの定型文の編集が行われた場合に、現在定型文表示部４０４に表示されている定型文を選択されているカテゴリに対応した定型文として登録するためのボタンである。
「削除」ボタンは、現在定型文表示部４０４に表示されている定型文、すなわち、現在カテゴリ選択部４０２において選択されているカテゴリに対応する定型文を消去するためのボタンである。
【００４６】
「選択」ボタンは、現在定型文表示部４０４に表示されている定型文を、画像所見欄３０７３或いは画像診断欄３０７４のうち、定型文選択ウインドウ４００が表示される際に上述した所定の操作（ダブルクリック等）が実行された方にペーストするためのボタンである。
図７に、「選択」ボタンが押下され、定型文表示部４０４に表示されている定型文が画像所見欄３０７３にペーストされた例を示す図である。
図７に示すように、「選択」ボタンを押下するだけで、定型文表示部４０４に表示されている定型文がそのまま画像所見欄３０７３（或いは画像診断欄３０７４）にペーストされるため、定型文の一部を選択してから画像所見欄３０７３にペーストする、といったような手間がかからず、スムーズに定型文を使用した所見データ入力を行うことができる。
定型文が画像所見欄３０７３或いは画像診断欄３０７４にペーストされた後には、例えば図７に示すように、定型文には「○○○○○」といった、所見データ編集時に適切な単語に置換できる箇所が予め挿入されているため、こうした箇所を編集するだけで用意に所見データを完成させることができる。
「終了」ボタンは、定型文選択ウインドウ４００を閉じ、定型文の選択を終了するためのボタンである。
【００４７】
次に、上述した定型文の選択を含んだ所見データ編集処理時のコンピュータシステム３の動作例について説明する。
図８は、所見データ編集処理の際のコンピュータシステム３の動作例を示すフローチャートである。
【００４８】
ステップＳＴ１１：
制御部３４は、例えば入力部（図示せず）を介して選択された、所見データ編集画面３００内の箇所を編集可能な状態とする。
具体的には、所見データ編集画面３００において、所見データ入力欄３０７のいずれかの項目が選択（例えばコンピュータシステム３の入力部であるマウス等によるダブルクリック等の動作による）がなされると、選択された項目にコンピュータシステム３の入力部（キーボード等）による文字入力が可能になる。
ステップＳＴ１２：
制御部３４は、ステップＳＴ１１において選択された箇所が画像所見欄３０７３か画像診断欄３０７４である場合にはステップＳＴ１３に進み、それ以外の箇所である場合にはステップＳＴ１９に進む。これは、上記説明したように、定型文を利用可能である入力箇所が画像所見欄３０７３か画像診断欄３０７４のいずれかであるからである。
【００４９】
ステップＳＴ１３：
制御部３４は、定型文機能の起動のための動作が入力部を介して行われた場合にはステップＳＴ１４に進み、そうでない場合にはステップ１９に進む。定型文機能の起動のための動作とは、例えば、定型文を挿入したい画像所見欄３０７３或いは画像診断欄３０７４内の位置をマウス等の入力部によりダブルクリックする、等の動作である。なお、当該動作については本発明では限定しない（ダブルクリック以外の動作であっても良い）。
【００５０】
ステップＳＴ１４：
制御部３４は、定型文選択ウインドウ４００を表示部３１に表示する。定型文選択ウインドウ４００は、例えば、図６に示すように所見データ編集画面３００に重畳して表示部３１に表示される。
ステップＳＴ１５：
図６において説明した、カテゴリ選択部４０２のカテゴリの１つがコンピュータシステム３の図示しない入力部を介した操作により選択された場合にはステップＳＴ１６に進み、そうでない場合はステップＳＴ１４に戻る。
【００５１】
ステップＳＴ１６：
制御部３４は、ステップＳＴ１５において選択されたカテゴリに対応した定型文を定型文選択ウインドウ４００の定型文表示部４０４に表示する。
ステップＳＴ１７：
制御部３４は、操作ボタン４０５の「選択」ボタンが押下された場合にはステップＳＴ１８に進み、「選択」ボタン以外が押下された場合にはステップＳＴ１４に戻る。
【００５２】
ステップＳＴ１８：
ステップＳＴ１３において定型文機能の起動の際に指定された画像所見欄３０７３或いは画像診断欄３０７４内の位置に定型文表示部４０４に表示された定型文の全文をペーストする。
ステップＳＴ１９：
コンピュータシステム３の図示しない入力部（キーボード等）により、所見データ編集画面３００の編集がなされる。
この際、編集される箇所がステップＳＴ１８において定型文がペーストされた画像所見欄３０７３或いは画像診断欄３０７４であった場合には、ペーストされた定型文を編集することにより容易に画像所見欄３０７３或いは画像診断欄３０７４の編集を行うことが可能になっている。
ステップＳＴ２０：
制御部３４は、所見データ編集処理が完了した場合、すなわち、例えば、所見データ編集画面３００において「完成」ボタンが押下された場合には所見データ編集処理を終了する。そうでない場合には、ステップＳＴ１１に戻る。
【００５３】
以上説明したように、本発明の医用情報処理システム１００によれば、コンピュータシステム３を利用した所見データ編集処理の際に、定型文選択ウインドウ４００により選択した定型文が所望の位置にペーストされるため、これを基に編集を行うことにより効率よく所見データの編集を行うことができる。
さらに、本発明の医用情報処理システム１００においては、予め定型文をペーストする位置を決定しておき、ペーストしたい定型文を選択し、選択された定型文は操作ボタン４０５の「選択」ボタンにより自動的に所望の位置にペーストされる。このため、背景技術において説明した従来技術のように、選択した定型文をコピーする処理が必要ないため、従来と比較してより簡単な操作及び少ない手順で定型文を利用した所見データ編集処理を行うことができる。
【００５４】
また、本発明の医用情報処理システム１００によれば、ＤＩＣＯＭ形式により患者に関する情報が埋め込まれた画像データ及び所見データがそれぞれ関連付けられて画像データサーバ２１および所見データサーバ２２に記憶されており、所見データ編集処理の際にはコンピュータシステム３の表示部３２に画像を表示させ、表示部３１に患者情報を含む所見データ編集画面３００を表示させて所見データ編集処理を行うことができるので、画像データ及び患者情報及び所見データがそれぞれ関連付けられた状態で所見データ編集処理を行うことができるため、読影医等、医療用画像専門の医師が患者の予備知識無しに所見を行う場合でも、十分な患者情報を得ることができ、また所見データに対応する画像の取り違え（異なる患者の画像を見ながら所見データを作成してしまう）等による誤診の発生を防止することができる。
【００５５】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００５６】
上述した各実施形態では、表示部３２に画像データサーバ２１に記憶されたデジタルの医療用画像を表示させながら表示部３１において所見データの編集を行うことができる医用情報処理システム１００について説明したが、本発明はこれには限定されない。
すなわち、例えば、表示部３１のみに画像および所見データを表示させながら所見データ編集処理を行う医用情報処理システムについても本発明は適用可能である。また、例えば、アナログの画像（例えばＸ線写真等）をシャウカステン等に吊るし、これを見ながら所見データ編集を行う医用情報処理システムについても本発明は適用可能である。この場合、画像データサーバ２１は必要なく、所見データに患者情報が埋め込まれて所見データサーバ２２に記憶される。ユーザ（読影医）は、シャウカステンに吊るしたＸ線写真等アナログの画像を見ながら、コンピュータシステム３の表示部３１に表示された患者情報を含む所見データ編集画面において所見データの編集を行うことが可能である。勿論、この場合も、上述した実施形態で説明した定型文機能を利用することが可能である。
【００５７】
また、上述した各実施形態では、コンピュータシステム３は表示部３１、表示部３２、記憶部３３、制御部３４で構成されるコンピュータシステムであるとしたが、コンピュータシステム３は、複数のコンピュータで構成されるコンピュータシステムであってもよい。すなわち、例えば、コンピュータシステム３は、２層コンピュータシステム（コンピュータシステム３において実行されるアプリケーションを動作させるクライアントコンピュータと、アプリケーションで処理する内容及びその結果のデータを管理するデータベースサーバコンピュータとによって構成される）や、３層コンピュータシステム（アプリケーションの動作を行うアプリケーションコンピュータと、若干のアプリケーションを動作させるクライアントコンピュータと、アプリケーションで処理する内容及びその結果のデータを管理するデータベースサーバコンピュータとによって構成される）であっても良い。
【図面の簡単な説明】
【００５８】
【図１】図１は、医用情報処理システム１００の構成の一例を示すブロック図である。
【図２】図２は、医用情報処理システム１００の所見データ閲覧及び作成時の動作例を説明するためのフローチャートである。
【図３】図３は、メイン画面２００の一例を示す図である。
【図４】図４は、表示部３１に表示される所見データ編集画面３００の一例を示す図である。
【図５】図５は、所見データ入力欄３０７の各項目について説明するための図である。
【図６】図６は、定型文選択ウインドウ４００の一例を示す図である。
【図７】図７は、定型文表示部４０４に表示された定型文が、そのまま画像所見欄３０７３にペーストされた様子を示した図である。
【図８】図８は、所見データ編集処理の際のコンピュータシステム３の動作例を示すフローチャートである。
【符号の説明】
【００５９】
１００…医用情報処理システム、１…モダリティ、２…データサーバ、２１…画像データサーバ、２２…所見データサーバ、３…コンピュータシステム、３１，３２…表示部、３３…記憶部、３４…制御部、４…ワークリストサーバ、２００…メイン画面、２０１…メニュー、２０２…ツールバー、２０３…検索選択タブ、２０４…検索条件入力欄、２０５…検索結果表示欄、３００…所見データ編集画面、３０１…メニュー、３０２…ツールバー、３０３…情報選択タブ、３０４…情報表示欄、３０５…所見データリスト、３０６…過去・現在選択タブ、３０７…所見データ入力欄、３０７１…レポートタイトル、３０７２…検査目的欄、３０７３…画像所見欄、３０８…画像サムネイル、４００…定型文選択ウインドウ、４０１…分類タブ、４０２…カテゴリ選択部、４０３…カテゴリ表示部、４０４…定型文表示部、４０５…操作ボタン
【図１】
2008117239.tif 000003
【図２】
2008117239.tif 000004
【図８】
2008117239.tif 000005
【図３】
2008117239.tif 000006
【図４】
2008117239.tif 000007
【図５】
2008117239.tif 000008
【図６】
2008117239.tif 000009
【図７】
2008117239.tif 000010